(57)【要約】【課題】  本発明は、そのときどきのユーザが希望する音量レベルに近づけるように制御し得る音量レベル制御装置及び音量レベル制御方法を実現する。【解決手段】  本発明は、音声信号を増幅して出力する際の音量レベルを制御するカーオーディオ装置１において、プリセット値Ｐとして所定のプリセット音量レベルを記憶する記憶部９と、現音量レベルをプリセット音量レベルに変更するプリセットボタン８Ｃの押下操作を受け付け、当該押下操作を受け付けた時点の現音量レベルを認識し、当該プリセット音量レベルと当該現音量レベルとの差分に応じて、当該現音量レベルを当該プリセット音量レベルに変更するか否かを判断して音量レベルを制御する制御部２とを設けるようにした。【選択図】        図３
2005198112.tif 000002
【特許請求の範囲】
【請求項１】
音声信号を増幅して出力する際の音量レベルを制御する音量レベル制御装置において、
プリセット値として所定のプリセット音量レベルを記憶する記憶手段と、
現音量レベルを上記プリセット音量レベルに変更する操作指示を受け付ける操作指示受付手段と、
上記操作指示を受け付けた時点の上記現音量レベルを認識する認識手段と、
上記プリセット音量レベルと上記現音量レベルとの差分に応じて、上記現音量レベルを上記プリセット音量レベルに変更するか否かを判断して当該現音量レベルを制御する制御手段と
を具えることを特徴とする音量レベル制御装置。
【請求項２】
上記制御手段は、
上記差分が所定の閾値以下である場合、上記現音量レベルを上記プリセット音量レベルに変更し、上記差分が上記閾値よりも大きい場合、上記現音量レベルを上記プリセット音量レベルには変更しない
ことを特徴とする請求項１に記載の音量レベル制御装置。
【請求項３】
上記制御手段は、
上記差分が上記閾値よりも大きい場合、上記操作指示を再度受け付けたときのみ上記現音量レベルを上記プリセット音量レベルに変更する
ことを特徴とする請求項２に記載の音量レベル制御装置。
【請求項４】
上記制御手段は、
上記差分が上記閾値以下となる場合、上記現音量レベルを当該プリセット音量レベルに変更し、上記差分が上記閾値よりも大きい場合、上記現音量レベルと上記プリセット音量レベルとの間の中間レベルに変更する
ことを特徴とする請求項１に記載の音量レベル制御装置。
【請求項５】
上記制御手段は、
上記差分が上記閾値よりも大きい場合、上記操作指示を再度受け付けたときのみ上記現音量レベルを上記プリセット音量レベルに変更する
ことを特徴とする請求項４に記載の音量レベル制御装置。
【請求項６】
上記制御手段は、
上記操作指示に基づいて上記現音量レベルを上記プリセット音量レベルへ変更した後、上記操作指示を再度受け付けた場合にのみ上記プリセット音量レベルを上記現音量レベルに戻す
ことを特徴とする請求項１に記載の音量レベル制御装置。
【請求項７】
音声信号を増幅して出力する際の音量レベルを制御する音量レベル制御装置において、
現音量レベルを所定の変化量だけ増加又は減少させる音量増減指示を受け付ける増減指示受付手段と、
上記音量増減指示を受け付けた回数に応じて、上記現音量レベルを当該音量増減指示に基づく変化量だけ変更するか、又は当該音量増減指示とは異なる変化量だけ変更するかを判断して制御する音量増減制御手段と
を具えることを特徴とする音量レベル制御装置。
【請求項８】
プリセット値として所定のプリセット音量レベルを記憶する記憶手段
を具え、
上記音量増減制御手段は、上記音量操作指示を１回だけ受け付けた場合に、上記現音量レベルを上記プリセット音量レベルに変更し、上記操作指示を連続して２回以上受け付けた場合に、上記音量増減指示を受け付けた回数に応じた上記変化量だけ上記現音量レベルを増加又は減少させる
ことを特徴とする請求項７に記載の音量レベル制御装置。
【請求項９】
上記音量増減制御手段は、上記音量増減指示を１回だけ受け付けた場合に、上記音量レベルを上記変化量よりも大きく増加又は減少させ、上記音量増減指示を連続して２回以上受け付けた場合に、上記音量増減指示を受け付けた回数に応じた上記変化量だけ上記現音量レベルを増加又は減少させる
ことを特徴とする請求項７に記載の音量レベル制御装置。
【請求項１０】
上記音量増減制御手段は、上記現音量レベルを増加させる音量増減指示を１回だけ受け付けた場合と上記現音量レベルを減少させる音量増減指示を１回だけ受け付けた場合とで、それぞれ異なる変化量だけ上記現音量レベルを増加又は減少させる
ことを特徴とする請求項９に記載の音量レベル制御装置。
【請求項１１】
音声信号を増幅して出力する際の現音量レベルを、プリセット値として記憶した所定のプリセット音量レベルに変更する操作指示を受け付ける操作指示受付ステップと、
上記操作指示を受け付けた時点の上記現音量レベルを認識する認識ステップと、
上記プリセット音量レベルと上記現音量レベルとの差分に応じて、上記現音量レベルを上記プリセット音量レベルに変更するか否かを判断して当該現音量レベルを制御する制御ステップと
を具えることを特徴とする音量レベル制御方法。
【請求項１２】
音声信号を増幅して出力する際の現音量レベルを所定の変化量だけ増加又は減少させる音量増減指示を受け付ける増減指示受付ステップと、
上記音量増減指示を受け付けた回数に応じて、上記現音量レベルを当該音量増減指示に基づく変化量だけ変更するか、又は当該音量増減指示とは異なる変化量だけ変更するかを判断して制御する音量増減制御ステップと
を具えることを特徴とする音量レベル制御方法。
【請求項１３】
情報処理装置に対して、
音声信号を増幅して出力する際の現音量レベルを、プリセット値として記憶した所定のプリセット音量レベルに変更する操作指示を受け付ける操作指示受付ステップと、
上記操作指示を受け付けた時点の上記現音量レベルを認識する認識ステップと、
上記プリセット音量レベルと上記現音量レベルとの差分に応じて、上記現音量レベルを上記プリセット音量レベルに変更するか否かを判断して当該現音量レベルを制御する制御ステップと
を実行させるための音量レベル制御プログラム。
【請求項１４】
情報処理装置に対して、
音声信号を増幅して出力する際の現音量レベルを所定の変化量だけ増加又は減少させる音量増減指示を受け付ける増減指示受付ステップと、
上記音量増減指示を受け付けた回数に応じて、上記現音量レベルを当該音量増減指示に基づく変化量だけ変更するか、又は当該音量増減指示とは異なる変化量だけ変更するかを判断して制御する音量増減制御ステップと
を実行させるための音量レベル制御プログラム。
【発明の詳細な説明】
【技術分野】
【０００１】
本発明は音量レベル制御装置及び音量レベル制御方法に関し、例えば自動車に搭載されるカーオーディオ装置に適用して好適なものである。
【背景技術】
【０００２】
従来、カーオーディオ装置においては、自動車に搭載され、ラジオの受信やＣＤ（Compact Disc）の再生等による音声信号を、内蔵するアンプによって指定された音量レベルまで増幅し、スピーカから音声として出力するようになされている。
【０００３】
ところで自動車内では、一般道路走行時と高速道路走行時とにおけるエンジン音量の違いや周囲の交通量の変化等に応じて、騒音レベルが変化する。
【０００４】
そこでカーオーディオ装置は、ユーザによる「音量アップ」「音量ダウン」等の音量ボタンの操作に応じて、スピーカから出力する音声の音量レベルを増加又は減少させることによって、当該ユーザの希望に合致した音量レベルに自由に変更できるようになされている。
【０００５】
さらにカーオーディオ装置には、例えば自動車が一般道路を走行中にユーザにとって最適な音量レベル等の当該ユーザが頻繁に設定する音量レベルを、予めプリセット音量レベルとして記憶できるものがある。
【０００６】
このカーオーディオ装置は、プリセット音量レベルに対応したプリセットボタンがユーザに押下されるだけで、当該プリセットボタンが押下される直前の現音量レベルを当該プリセット音量レベルに変更でき、容易な操作によって当該ユーザの希望に合致した音量レベルに変更できるようになされている。
【０００７】
しかし、かかるカーオーディオ装置は、ユーザの意思に応じて現音量レベルをプリセット音量レベルに変更したとしても、変更前の現音量レベルとプリセット音量レベルとの差分が大きすぎる場合には、音量レベルの急激な変化によって当該ユーザを驚かせてしまう場合があるという問題があった。
【０００８】
このような問題を解決するための１つの手法として、カーオーディオ装置は、プリセットボタンが押下された際に、現音量レベルからプリセット音量レベルまで音量レベルを一定の速度で段階的に変化（例えば５０ｍｓあたり２ｄＢずつ変化）させることによって、ユーザを驚かせてしまうことを防止するようになされたものが提案されている（例えば、特許文献１参照）。
【特許文献１】特開昭６４−８１５１２号公報（第３頁、第１図）
【発明の開示】
【発明が解決しようとする課題】
【０００９】
ところで、一般的に、人間は絶対的な音量レベルを正確には記憶できないという特性を有している。
【００１０】
すなわち、カーオーディオ装置はプリセット音量レベルを正確に記憶しているのに対して、ユーザはおおよそのプリセット音量レベルを曖昧に記憶しているに過ぎない。
【００１１】
このため、かかる構成のカーオーディオ装置は、当該ユーザがプリセットボタンを押下したことに応じて最終的に現音量レベルを正確にプリセット音量レベルに変更したとしても、必ずしも当該ユーザが当該プリセットボタンを押下した際に希望していた音量レベルに合致するとは限らず、特に当該現音量レベルとプリセット音量レベルとの差分が大きい場合には、当該プリセット音量レベルと当該ユーザが希望していた音量レベルとの食い違いも大きくなってしまう可能性が高くなるという問題があった。
【００１２】
本発明は以上の点を考慮してなされたもので、そのときどきのユーザが希望する音量レベルに近づけるように制御し得る音量レベル制御装置及び音量レベル制御方法を提案しようとするものである。
【課題を解決するための手段】
【００１３】
かかる課題を解決するため本発明の音量レベル制御装置においては、音声信号を増幅して出力する際の音量レベルを制御する音量レベル制御装置において、プリセット値として所定のプリセット音量レベルを記憶する記憶手段と、現音量レベルをプリセット音量レベルに変更する操作指示を受け付ける操作指示受付手段と、操作指示を受け付けた時点の現音量レベルを認識する認識手段と、プリセット音量レベルと現音量レベルとの差分に応じて、現音量レベルをプリセット音量レベルに変更するか否かを判断して当該現音量レベルを制御する制御手段とを設けるようにした。
【００１４】
これにより、現音量レベルとプリセット音量レベルとの差分が非常に大きい場合に、敢えて当該現音量レベルを当該プリセット音量レベルに変更しないようにすることができるので、ユーザを驚かせることを防止することができる。
【００１５】
また本発明の音量レベル制御装置においては、音声信号を増幅して出力する際の音量レベルを制御する音量レベル制御装置において、現音量レベルを所定の変化量だけ増加又は減少させる音量増減指示を受け付ける増減指示受付手段と、音量増減指示を受け付けた回数に応じて、現音量レベルを当該音量増減指示に基づく変化量だけ変更するか、又は当該音量増減指示とは異なる変化量だけ変更するかを判断して制御する音量増減制御手段とを設けるようにした。
【００１６】
これにより、音量操作指示を受け付けた回数に応じて、敢えて本来の音量操作指示とは異なる変化量だけ現音量レベルを変更することができるので、簡易な操作によって音量レベルをユーザの希望に近づけることができる。
【００１７】
さらに本発明の音量レベル制御方法においては、音声信号を増幅して出力する際の現音量レベルを、プリセット値として記憶した所定のプリセット音量レベルに変更する操作指示を受け付ける操作指示受付ステップと、操作指示を受け付けた時点の現音量レベルを認識する認識ステップと、プリセット音量レベルと現音量レベルとの差分に応じて、現音量レベルをプリセット音量レベルに変更するか否かを判断して当該現音量レベルを制御する制御ステップとを設けるようにした。
【００１８】
これにより、現音量レベルとプリセット音量レベルとの差分が非常に大きい場合に、敢えて当該現音量レベルを当該プリセット音量レベルに変更しないようにすることができるので、ユーザを驚かせることを防止することができる。
【００１９】
さらに本発明の音量レベル制御方法においては、音声信号を増幅して出力する際の現音量レベルを所定の変化量だけ増加又は減少させる音量増減指示を受け付ける増減指示受付ステップと、音量増減指示を受け付けた回数に応じて、現音量レベルを当該音量増減指示に基づく変化量だけ変更するか、又は当該音量増減指示とは異なる変化量だけ変更するかを判断して制御する音量増減制御ステップとを設けるようにした。
【００２０】
これにより、音量操作指示を受け付けた回数に応じて、敢えて本来の音量操作指示とは異なる変化量だけ現音量レベルを変更することができるので、簡易な操作によって音量レベルをユーザの希望に近づけることができる。
【００２１】
さらに本発明の音量レベル制御プログラムにおいては、音声信号を増幅して出力する際の現音量レベルを、プリセット値として記憶した所定のプリセット音量レベルに変更する操作指示を受け付ける操作指示受付ステップと、操作指示を受け付けた時点の現音量レベルを認識する認識ステップと、プリセット音量レベルと現音量レベルとの差分に応じて、現音量レベルをプリセット音量レベルに変更するか否かを判断して当該現音量レベルを制御する制御ステップとを設けるようにした。
【００２２】
これにより、現音量レベルとプリセット音量レベルとの差分が非常に大きい場合に、敢えて当該現音量レベルを当該プリセット音量レベルに変更しないようにすることができるので、ユーザを驚かせることを防止することができる。
【００２３】
さらに本発明の音量レベル制御プログラムにおいては、音声信号を増幅して出力する際の現音量レベルを所定の変化量だけ増加又は減少させる音量増減指示を受け付ける増減指示受付ステップと、音量増減指示を受け付けた回数に応じて、現音量レベルを当該音量増減指示に基づく変化量だけ変更するか、又は当該音量増減指示とは異なる変化量だけ変更するかを判断して制御する音量増減制御ステップとを設けるようにした。
【００２４】
これにより、音量操作指示を受け付けた回数に応じて、敢えて本来の音量操作指示とは異なる変化量だけ現音量レベルを変更することができるので、簡易な操作によって音量レベルをユーザの希望に近づけることができる。
【発明の効果】
【００２５】
本発明によれば現音量レベルとプリセット音量レベルとの差分が非常に大きい場合に、敢えて当該現音量レベルを当該プリセット音量レベルに変更しないようにすることができるので、ユーザを驚かせることを防止して当該ユーザの希望に合致させることができ、かくしてそのときどきのユーザが希望する音量レベルに近づけるように制御し得る音量レベル制御装置及び音量レベル制御方法を実現できる。
【００２６】
また本発明によれば、音量操作指示を受け付けた回数に応じて、敢えて本来の音量操作指示とは異なる変化量だけ現音量レベルを変更することができるので、容易な操作によって音量レベルをユーザの希望に近づけることができ、かくしてそのときどきのユーザが希望する音量レベルに近づけるように制御し得る音量レベル制御装置及び音量レベル制御方法を実現できる。
【発明を実施するための最良の形態】
【００２７】
以下、図面について、本発明の一実施の形態を詳述する。
【実施例】
【００２８】
（１）第１の実施の形態
（１−１）カーオーディオ装置の構成
図１において、１は全体として本実施の形態によるカーオーディオ装置の構成を示しており、制御部２によって全体を統括制御するようになされている。
【００２９】
実際上カーオーディオ装置１は、自動車内に設置され、運転席や助手席に座るユーザの操作に基づいてラジオ放送の受信やＣＤ（Compact Disc）の再生を行い、その音声信号をユーザが所望する音量レベルに増幅して当該ユーザに聴取させるようになされている。
【００３０】
制御部２は、図示しないＣＰＵ（Central Processing Unit）構成でなり、図示しないＲＯＭ（Read Only Memory）から読み出したＯＳ（Operational System）等の基本プログラムや音量レベル制御プログラム等の各種アプリケーションプログラムに従って各種処理を行うようになされている。
【００３１】
また制御部２は、音量レベルを数値で表した音量値Ｖｏｌを内部に記憶するようになされており、当該音量値Ｖｏｌに基づいて音量調節部５を制御する。
【００３２】
一方カーオーディオ装置１は、図示しないラジオ受信部や図示しないＣＤ再生部からの音声信号Ｓ１を、入力端子３を介してプリアンプ４へ入力する。
【００３３】
プリアンプ４は、入力された音声信号Ｓ１に対して音質調整等の前処理を行うことによって音声信号Ｓ２を生成し、これを音量調節部５へ送出する。
【００３４】
音量調節部５は、プリアンプ４から供給された音声信号Ｓ２を、制御部２の制御に基づいて減衰させることにより、音量値Ｖｏｌに比例した大きさの音声信号Ｓ３を生成し、これをパワーアンプ６へ送出する。
【００３５】
パワーアンプ６は、音量調節部５から送出された音声信号Ｓ３を常に一定の増幅率で増幅することによって音声信号Ｓ４を生成し、これをスピーカ７へ送出することによって、制御部２で記憶していた音量値Ｖｏｌに応じた音量レベルの音声を当該スピーカ７から出力する。
【００３６】
このようにカーオーディオ装置１は、音声信号Ｓ１を音量値Ｖｏｌに基づいて増幅した音量レベルでラジオ放送やＣＤの音声をユーザに聴取させるようになされている。
【００３７】
ところで操作部８は、音量レベルを増加させる音量アップボタン８Ａ、音量レベルを減少させる音量ダウンボタン８Ｂ、及び音量値Ｖｏｌをユーザによって予め記憶されたプリセット値Ｐに変更するためのプリセットボタン８Ｃが設けられており、ユーザからの操作指示を受け付けるようになされている。
【００３８】
制御部２は、ユーザの操作に基づき操作部８の音量アップボタン８Ａ又は音量ダウンボタン８Ｂが押下されたことを認識すると、これに応じて音量値Ｖｏｌを増加又は減少させた値に変更し、さらに当該変更した音量値Ｖｏｌに応じて音量調節部５を制御するようになされている。
【００３９】
このとき表示部１０は、制御部２の制御に基づいて、変更後の音量値Ｖｏｌを数値等で表示することによって、音量レベルの大きさをユーザに視覚的に認識させるようになされている。
【００４０】
また制御部２は、図２に示すように、ユーザの操作に基づき音量値Ｖｏｌ（例えばＶｏｌ＝７０）が設定されている状態でプリセットボタン８Ｃが長押し（例えば２秒間以上押下）されることによって、当該音量値Ｖｏｌ（例えばＶｏｌ＝７０）を当該プリセットボタン８Ｃと対応づけたプリセット値Ｐとして認識し、当該プリセット値Ｐを記憶部９の音量テーブルＴＶに記憶するようになされている。
【００４１】
なお、以下、音量値Ｖｏｌがプリセット値Ｐであるときの音量レベルをプリセット音量レベルと呼ぶ。
【００４２】
さらに制御部２は、所定の操作に基づいて、音量値Ｖｏｌを大幅音量アップ値Ｕ又は大幅音量ダウン値Ｄだけ増加又は減少させるようになされており、当該大幅音量アップ値Ｕ及び当該大幅音量ダウン値Ｄをプリセット値Ｐと併せて音量テーブルＴＶに記憶するようになされている。
【００４３】
そして制御部２は、ユーザの操作に基づきプリセットボタン８Ｃが押下されたことを認識すると、後述するプリセットボタン押下対応テーブルに応じた処理を行うようになされている。
【００４４】
（１−２）プリセットボタン押下時の対応
ところで、一般的に、人間の音量レベルに対する感覚の特性として、相対的な変化には敏感であるものの、絶対的な音量レベルの正確な判断は困難である。
【００４５】
例えばユーザは、プリセットボタン８Ｃを押下する際には、当該プリセットボタン８Ｃを押下する直前の音量レベル（以下、これを現音量レベルと呼ぶ）から、前もってプリセット値Ｐ（図２）として記憶させたプリセット音量レベルに変更することを予め想定しているものの、当該プリセット音量レベルを必ずしも正確に記憶できておらず、むしろ、おおよその当該プリセット音量レベルを曖昧に記憶しているにすぎない。
【００４６】
またユーザは、音量レベルの相対的な変化には敏感であるため、カーオーディオ装置１の音量レベルの変化が非常に大きいと、当該ユーザは驚くと共に、不快感を感じてしまう。
【００４７】
このためカーオーディオ装置１は、プリセットボタン８Ｃが押下されて現音量レベルをプリセット音量レベルに変更したとしても、当該現音量レベルが比較的小さく当該プリセット音量レベルが比較的大きい場合には、音量レベルの差が非常に大きくなるためにユーザを驚かせてしまう可能性が高く、さらには当該ユーザに希望通りの音量レベルに変更されていないと勘違いされてしまう可能性もある。
【００４８】
そこで制御部２は、図３に示すように、プリセットボタン８Ｃが押下された際に、現音量レベルとプリセット音量レベルとの差分として、プリセットボタン８Ｃを押下する直前の音量値Ｖｏｌ（以下、これを現音量値Ｖと呼ぶ）とプリセット値Ｐ（例えばＰ＝７０）との差分値Ｐ−Ｖを算出し、当該差分値Ｐ−Ｖが所定の閾値ｋ（例えばｋ＝４０）よりも大きいか否かを判定し、その判定結果に応じて、プリセットボタン押下対応テーブルＴ１に応じた処理を行うようになされている。
【００４９】
例えば現音量値Ｖ（すなわちＶ＝６０）の場合のように、差分値Ｐ−Ｖ（７０−６０＝１０）が所定の閾値ｋ（例えばｋ＝４０）以下となる、すなわちｋ≧Ｐ−Ｖとなる場合、このことは現音量レベルとプリセット音量レベルとの差が比較的小さいことを表している。
【００５０】
このとき制御部２は、現音量レベルからプリセット音量レベルに変更しても、音量レベルの変化が大きすぎてユーザを驚かせるようなことは無く、当該ユーザの希望に合致した音量レベルになると判断し、音量レベルを現音量レベルからプリセット音量レベルに変更する。
【００５１】
すなわち制御部２は、ｋ≧Ｐ−Ｖとなる場合、音量レベルを現音量レベルからプリセット音量レベルそのものに変更することによって、ユーザを驚かせること無く当該音量レベルを当該ユーザの希望に合致させることができる。
【００５２】
一方、例えば現音量値Ｖ（すなわちＶ＝２０）の場合のように、差分値Ｐ−Ｖ（７０−２０＝５０）が所定の閾値ｋ（例えばｋ＝４０）より大きくなる、すなわちｋ＜Ｐ−Ｖとなる場合、このことは現音量レベルとプリセット音量レベルとの差が非常に大きいことを表している。
【００５３】
このとき制御部２は、音量レベルを現音量レベルからプリセット音量レベルに変更すると、ユーザの指示に従った音量レベルに合わせることはできるものの、当該音量レベルの変化があまりにも大きすぎて当該ユーザを驚かせてしまう危険性があると判断し、敢えて当該音量レベルを変更しないでおくようになされている。
【００５４】
すなわち制御部２は、ｋ＜Ｐ−Ｖとなる場合、音量レベルを敢えて現音量レベルから変更しないことによって、必ずしもユーザの希望を満足し得ないものの、ユーザを驚かせずに済む。
【００５５】
さらに制御部２は、音量レベルを変更しなかった旨を表示部１０に表示することにより、当該音量レベルを現音量レベルからプリセット音量レベルに変更すると、当該音量レベルの変化が非常に大きくなってしまうことを当該ユーザに間接的に認識させるようになされている。
【００５６】
このように制御部２は、差分値Ｐ−Ｖが比較的小さい場合には、音量レベルをプリセット音量レベルに変更することによってユーザの希望する音量レベルに合致させ、一方この差分値Ｐ−Ｖが非常に大きい場合には、当該音量レベルを敢えて変更しないことによって、当該ユーザを驚かせずに済み、不快感を与えてしまうことがない。
【００５７】
（１−３）プリセットボタン押下対応処理手順
ところでカーオーディオ装置１の制御部２は、プリセットボタン８Ｃが押下された際に、図４に示すフローチャートに従ってプリセットボタン押下対応処理を行うようになされており、以下、このときのプリセットボタン押下対応処理手順ＲＴ１について説明する。
【００５８】
制御部２は、ルーチンＲＴ１の開始ステップから入ってステップＳＰ１へ移る。ステップＳＰ１において制御部２は、ユーザによってプリセットボタン８Ｃが押下されたか否かを判定する。ここで否定結果が得られると、このことは、例えば表示部１０の表示内容の更新等、プリセットボタン８Ｃの押下に応じた処理以外の種々の処理を行う必要があることを表しており、このとき制御部２は、次のサブルーチンＳＲＴ１へ移る。
【００５９】
サブルーチンＳＲＴ１において制御部２は、表示部１０の表示内容の更新等、プリセットボタン８Ｃに応じた処理以外の他の処理を行った後、次のステップＳＰ６へ移ってルーチンＲＴ１を終了する。
【００６０】
一方ステップＳＰ１において肯定結果が得られると、このことはプリセットボタン８Ｃの押下に応じた処理を行う必要があることを表しており、このとき制御部２は、次のステップＳＰ２へ移る。
【００６１】
ステップＳＰ２において制御部２は、記憶部９の音量テーブルＴＶからプリセット値Ｐ（例えばＰ＝７０）を読み出し、次のステップＳＰ３へ移る。
【００６２】
ステップＳＰ３において制御部２は、この時点で当該制御部２内に記憶している音量値Ｖｏｌを認識し、これを現音量値Ｖとして、次のステップＳＰ４へ移る。
【００６３】
ステップＳＰ４において制御部２は、所定の閾値ｋ（例えばｋ＝４０）が差分値Ｐ−Ｖよりも小さいか否かを判定する。ここで否定結果が得られると、このことは差分値Ｐ−Ｖが所定の閾値ｋよりも小さいため、現音量レベルとプリセット音量レベルとの差分が比較的小さいことを表しており、このとき制御部２は、音量レベルを現音量レベルからプリセット音量レベルに変更しても、当該音量レベルの変化が大きすぎてユーザを驚かせる可能性が低いと判断し、次のステップＳＰ５へ移る。
【００６４】
ステップＳＰ５において制御部２は、プリセットボタン押下対応テーブルＴ１（図３）に従い、音量値Ｖｏｌを現音量値Ｖ（例えばＶ＝６０）からプリセット値Ｐ（例えばＰ＝７０）に変更すると共に、音量レベルをプリセット音量レベルに変更した旨を表示部１０に表示し、次のステップＳＰ６へ移ってルーチンＲＴ１を終了する。
【００６５】
一方ステップＳＰ４において肯定結果が得られると、このことは差分値Ｐ−Ｖが所定の閾値ｋよりも大きいため、現音量レベルとプリセット音量レベルとの差分が非常に大きいことを表しており、このとき制御部２は、当該現音量レベルから当該プリセット音量レベルに変更すると、音量レベルの変化があまりにも大きすぎてユーザを驚かせる可能性が高いと判断し、プリセットボタン押下対応テーブルＴ１に従って、音量レベルを敢えて当該現音量レベルのまま変更せず、当該音量レベルを変更しなかった旨を表示部１０に表示し、次のステップＳＰ６へ移ってルーチンＲＴ１を終了する。
【００６６】
（１−４）動作及び効果
以上の構成においてカーオーディオ装置１の制御部２は、ユーザによってプリセットボタン８Ｃが押下されると、差分値Ｐ−Ｖが所定の閾値ｋよりも大きいか否かを判定する。
【００６７】
そして制御部２は、その判定結果及びプリセットボタン押下対応テーブルＴ１（図３）に応じて、ｋ≧Ｐ−Ｖとなる場合には音量レベルを現音量レベルからプリセット音量レベルに変更し、ｋ＜Ｐ−Ｖとなる場合には敢えて当該音量レベルを当該現音量レベルのまま変更しないでおく。
【００６８】
従って制御部２は、差分値Ｐ−Ｖが所定の閾値ｋよりも小さい場合、現音量レベルとプリセット音量レベルとの差分が比較的小さいため、ユーザを驚かせる可能性は少ないと判断した上で音量レベルを当該現音量レベルから当該プリセット音量レベルに変更して、当該ユーザの希望に合致させることができる。
【００６９】
一方制御部２は、差分値Ｐ−Ｖが所定の閾値ｋ以上となる場合、現音量レベルとプリセット音量レベルとの差分が非常に大きいため、当該現音量レベルから当該プリセット音量レベルに変更するとユーザを驚かせる可能性があると判断し、音量レベルを敢えて現音量レベルのまま変更しないことにより、当該音量レベルの変化が大きすぎて当該ユーザを驚かせずに済み、不快感を与えてしまうことがない。
【００７０】
以上の構成によれば、カーオーディオ装置１の制御部２は、プリセットボタン８Ｃが押下された際に、差分値Ｐ−Ｖに応じて現音量レベルからプリセット音量レベルに変更するか否かを判断して音量レベルを制御するようにしたことにより、当該音量レベルの変化が大きすぎてユーザを驚かせてしまうことを未然に防止することができ、かくしてそのときどきのユーザが希望する音量レベルに近づけるように制御することができる。
【００７１】
（２）第２の実施の形態
（２−１）カーオーディオ装置の構成
第２の実施の形態においても、カーオーディオ装置１の構成は上述した第１の実施の形態と同様であるため、その説明は省略する。
【００７２】
（２−２）プリセットボタン押下時の対応
しかしカーオーディオ装置１の制御部２は、プリセットボタン８Ｃが押下された際に、上述した第１の実施の形態とは異なり、図５に示すプリセットボタン押下対応テーブルＴ２に応じた処理を行うようになされている。
【００７３】
すなわち制御部２は、まず第１の実施の形態と同様に、差分値Ｐ−Ｖが所定の閾値ｋよりも大きいか否かを判定する。
【００７４】
例えば現音量値Ｖ（すなわちＶ＝６０）の場合のように、差分値Ｐ−Ｖ（７０−６０＝１０）が所定の閾値ｋ（例えばｋ＝４０）以下となる、すなわちｋ≧Ｐ−Ｖとなる場合、制御部２は、第１の実施の形態と同様に、音量レベルを現音量レベルからプリセット音量レベルに変更する。
【００７５】
すなわち制御部２は、ｋ≧Ｐ−Ｖとなる場合、音量レベルを現音量レベルからプリセット音量レベルに変更することによって、ユーザを驚かせることなく当該音量レベルを当該ユーザの希望に合致させることができる。
【００７６】
一方、例えば現音量値Ｖ（すなわちＶ＝２０）の場合のように、差分値Ｐ−Ｖ（７０−２０＝５０）が所定の閾値ｋ（例えばｋ＝４０）よりも大きくなる、すなわちｋ＜Ｐ−Ｖとなる場合、制御部２は、まず第１の実施の形態と同様に、敢えて音量レベルを現音量レベルから変更せず、このとき当該音量レベルを変更しなかった旨を表示部１０に表示することにより、現音量レベルからプリセット音量レベルに変更してしまうと、当該音量レベルの変化が大きすぎてユーザが驚きかねないことを伝える。
【００７７】
すなわち制御部２は、ｋ＜Ｐ−Ｖとなる場合、ユーザにプリセットボタン８Ｃを１回だけ押下された時点では、音量レベルを敢えて現音量レベルのまま変更しないことによって、必ずしも当該ユーザの希望を満足し得ないものの、当該ユーザを驚かせずに済み、不快感を与えてしまうことがない。
【００７８】
しかし制御部２は、ユーザによってプリセットボタン８Ｃが再度押下された場合には、当該ユーザに「どうしても現音量レベルからプリセット音量レベルに変更したい」という強い希望があると認識し、このとき音量レベルを敢えて当該現音量レベルからプリセット音量レベルに変更する。
【００７９】
すなわち制御部２は、ｋ＜Ｐ−Ｖとなる場合、ユーザにプリセットボタン８Ｃを２回押下された時点で、音量レベルを敢えて現音量レベルからプリセット音量レベルに変更することによって、当該ユーザの強い希望を満たすことができる。
【００８０】
このように制御部２は、ｋ≧Ｐ−Ｖとなる場合に、音量レベルをプリセット音量レベルに変更することによりユーザの希望に合致させることができ、ｋ＜Ｐ−Ｖとなる場合に、プリセットボタン８Ｃが１回押下されただけでは音量レベルを現音量レベルのまま変更しないことにより当該ユーザを驚かせることを防止し、プリセットボタン８Ｃが再度押下されたときに限って音量レベルを現音量レベルからプリセット音量レベルに変更することにより、当該音量レベルの変化が大きいにもかかわらず、どうしても現音量レベルをプリセット音量レベルに変更したいという当該ユーザの強い希望を満たすことができる。
【００８１】
（２−３）プリセットボタン押下対応処理手順
ところでカーオーディオ装置１の制御部２は、プリセットボタン８Ｃが押下された際に、図６に示すフローチャートに従ってプリセットボタン押下対応処理を行うようになされており、以下、このときのプリセットボタン押下対応処理手順ＲＴ２について説明する。
【００８２】
制御部２は、ルーチンＲＴ２の開始ステップから入ってステップＳＰ１へ移る。ここで制御部２は、上述したプリセットボタン押下対応処理手順ＲＴ１（図４）と同様に、ステップＳＰ１−サブルーチンＳＲＴ１−ステップＳＰ６の処理、及びステップＳＰ１−ステップＳＰ２−ステップＳＰ３−ステップＳＰ４−ステップＳＰ５の処理を行う。
【００８３】
ところで上述したステップＳＰ４において肯定結果が得られると、このことは差分値Ｐ−Ｖが所定の閾値ｋよりも大きく、現音量レベルとプリセット音量レベルとの差分が非常に大きいことを表しており、このとき制御部２は、当該現音量レベルから当該プリセット音量レベルに変更すると、音量レベルの変化があまりにも大きすぎてユーザを驚かせる可能性が高いと判断し、次のステップＳＰ１１へ移る。
【００８４】
ステップＳＰ１１において制御部２は、プリセットボタン８Ｃが押下された回数を示すカウント値Ｃをインクリメントし、次のステップＳＰ１２へ移る。
【００８５】
ちなみにカウント値Ｃは、当該プリセットボタン押下対応処理手順（２）を開始した際に０にリセットされ、プリセットボタン８Ｃが押下されるに従って順次インクリメントするようになされている。
【００８６】
ステップＳＰ１２において制御部２は、カウント値Ｃが２よりも小さいか否かを判定する。ここで肯定結果が得られると、このことはカウント値Ｃ、すなわちプリセットボタン８Ｃを押下された回数が１もしくは０であるため、このとき制御部２は、この段階では音量レベルをまだ変更すべきでないと判断し、プリセットボタン押下対応テーブルＴ２（図５）に従って当該音量レベルを敢えて現音量レベルのまま変更せず、再度ステップＳＰ１に戻る。
【００８７】
これに対してステップＳＰ１２において否定結果が得られると、このことはカウント値Ｃ、すなわちプリセットボタン８Ｃを押下された回数が既に２以上であり、このとき制御部２は、現音量レベルとプリセット音量レベルとの差分が大きいためユーザを驚かせる可能性があるものの、当該プリセットボタン８Ｃを２回押下したユーザの強い希望に応じて音量レベルを当該現音量レベルから当該プリセット音量レベルに変更すべきであると判断し、次のステップＳＰ５に移る。
【００８８】
ステップＳＰ５において制御部２は、プリセットボタン押下対応テーブルＴ２に従い、音量値Ｖｏｌを現音量値Ｖ（例えばＶ＝２０）からプリセット値Ｐ（例えばＰ＝７０）に変更すると共に、音量レベルをプリセット音量レベルに変更した旨を表示部１０に表示し、次のステップＳＰ１３に移る。
【００８９】
ステップＳＰ１３において制御部２は、カウント値Ｃを０にリセットした後、再度ステップＳＰ１に戻って上述の処理を繰り返す。
【００９０】
（２−４）動作及び効果
以上の構成においてカーオーディオ装置１の制御部２は、ユーザによってプリセットボタン８Ｃが押下されると、差分値Ｐ−Ｖが所定の閾値ｋよりも大きいか否かを判定する。
【００９１】
そして制御部２は、その判定結果及びプリセットボタン押下対応テーブルＴ２（図５）に応じて、ｋ≧Ｐ−Ｖとなる場合には、音量レベルを現音量レベルからプリセット音量レベルに変更し、ｋ＜Ｐ−Ｖとなる場合には、最初は当該音量レベルを当該現音量レベルのまま変更しないが、その後再度プリセットボタン８Ｃが押下されると、当該音量レベルを敢えて当該現音量レベルから当該プリセット音量レベルに変更する。
【００９２】
従って制御部２は、差分値Ｐ−Ｖが所定の閾値ｋよりも小さい場合、現音量レベルとプリセット音量レベルとの差分が比較的小さいことにより、ユーザを驚かせる可能性が少ないと判断した上で音量レベルを当該現音量レベルから当該プリセット音量レベルに変更することができ、当該ユーザの希望を満たすことができる。
【００９３】
一方制御部２は、差分値Ｐ−Ｖが所定の閾値ｋ以上となる場合、現音量レベルとプリセット音量レベルとの差分が非常に大きいため、音量レベルを敢えて現音量レベルのまま変更しないことにより、当該音量レベルの変化が大きすぎて当該ユーザを驚かせずに済む。
【００９４】
しかしながら制御部２は、その後ユーザによってプリセットボタン８Ｃが再度押下されると、敢えて音量レベルを現音量レベルからプリセット音量レベルに変更することによって、当該音量レベルの大きな変化を覚悟した上でどうしても当該現音量レベルから当該プリセット音量レベルに変更したいというユーザの強い希望を満たすことができる。
【００９５】
このとき制御部２は、ユーザにプリセットボタン８Ｃを１回目に押下させた後に、わざわざ他のボタンを探させて操作させるといった煩雑な作業を行わせることなく、同一のプリセットボタン８Ｃを再度繰り返し押下させるといった容易な操作によって、音量レベルを現音量レベルからプリセット音量レベルに変更してユーザの希望を満たすことができる。
【００９６】
以上の構成によれば、カーオーディオ装置１の制御部２は、プリセットボタン８Ｃが押下された際に、差分値Ｐ−Ｖに応じて現音量レベルからプリセット音量レベルに変更するか否かを判断して音量レベルを制御するようにしたことにより、当該音量レベルの変化が大きすぎてユーザを驚かせてしまうことを未然に防止することができ、プリセットボタン８Ｃが再度押下された際に、当該ユーザの強い希望に合わせて当該現音量レベルから当該プリセット音量レベルに変更することができるので、かくしてそのときどきのユーザが希望する音量レベルに近づけるように制御することができる。
【００９７】
（３）第３の実施の形態
（３−１）カーオーディオ装置の構成
第３の実施の形態においても、カーオーディオ装置１の構成は上述した第１の実施の形態と同様であるため、説明は省略する。
【００９８】
（３−２）プリセットボタン押下時の対応
しかしカーオーディオ装置１の制御部２は、プリセットボタン８Ｃが押下された際に、上述した第１及び第２の実施の形態とは異なり、図７に示すプリセットボタン押下対応テーブルＴ３に応じた処理を行うようになされている。
【００９９】
制御部２は、まず第１の実施の形態と同様に、差分値Ｐ−Ｖが所定の閾値ｋよりも大きいか否かを判定する。
【０１００】
例えば現音量値Ｖ（すなわちＶ＝６０）の場合のように、差分値Ｐ−Ｖ（７０−６０＝１０）が所定の閾値ｋ（例えばｋ＝４０）以下となる、すなわちｋ≧Ｐ−Ｖとなる場合、制御部２は、第１の実施の形態と同様に音量レベルを現音量レベルからプリセット音量レベルに変更する。
【０１０１】
すなわち制御部２は、ｋ≧Ｐ−Ｖとなる場合、音量レベルを現音量レベルからプリセット音量レベルそのものに変更することによって、ユーザを驚かせることなく当該音量レベルを当該ユーザの希望に合致させることができる。
【０１０２】
一方、例えば現音量値Ｖ（すなわちＶ＝２０）の場合のように、差分値Ｐ−Ｖ（７０−２０＝５０）が所定の閾値ｋ（例えばｋ＝４０）よりも大きくなる、すなわちｋ＜Ｐ−Ｖとなる場合、制御部２は、現音量レベルからプリセット音量レベルに変更すると音量レベルの変化が大きすぎてユーザを驚かせてしまう可能性があると判断するが、上述した第１及び第２の実施の形態とは異なり、当該音量レベルを当該現音量レベル及び当該プリセット音量レベルのちょうど中間となる中間レベルに変更する。
【０１０３】
このとき制御部２は、音量レベルを現音量レベルから中間レベルに変更する際に、当該音量レベルをあまり大きく変化させないため、ユーザを驚かせずに済む。
【０１０４】
そのうえ制御部２は、音量レベルをプリセット音量レベルそのものには変更しないものの、現音量レベルから中間レベルに変更したことで当該音量レベルを当該プリセット音量レベルに近づけたため、音量レベルを曖昧に記憶するという人間の特性によって、当該中間レベルがユーザの希望した音量レベルに合致すると勘違いされて当該ユーザを満足させ得る可能性がある。
【０１０５】
すなわち制御部２は、ｋ＜Ｐ−Ｖとなる場合、音量レベルを現音量レベルから中間レベルに変更することによって、当該音量レベルをユーザの希望する音量レベルに近づけることができる。
【０１０６】
さらに制御部２は、音量レベルを中間レベルに変更した旨を表示部１０に表示することにより、現音量レベルからプリセット音量レベルに変更すると当該音量レベルの変化が非常に大きくなってしまうことを当該ユーザに間接的に認識させるようになされている。
【０１０７】
このように制御部２は、差分値Ｐ−Ｖが比較的小さい場合は、音量レベルをプリセット音量レベルに変更することによってユーザの希望を満たし、一方当該差分値Ｐ−Ｖが非常に大きい場合は、当該音量レベルを中間レベルに変更することによって、当該ユーザを驚かせないようにしながら、当該音量レベルをユーザの希望する音量レベルに近づけるようになされている。
【０１０８】
（３−３）プリセットボタン押下対応処理手順
ところでカーオーディオ装置１の制御部２は、プリセットボタン８Ｃが押下された際に、上述したようにプリセットボタン押下対応テーブルＴ３（図７）に応じた処理を行うが、実際には図８に示すフローチャートに従ってプリセットボタン押下対応処理を行うようになされており、以下、このときのプリセットボタン押下対応処理手順ＲＴ３について説明する。
【０１０９】
制御部２は、ルーチンＲＴ２の開始ステップから入ってステップＳＰ１に移る。ここで制御部２は、上述したプリセットボタン押下対応処理手順ＲＴ１（図４）と同様に、ステップＳＰ１−サブルーチンＳＲＴ１−ステップＳＰ６の処理、及びステップＳＰ１−ステップＳＰ２−ステップＳＰ３−ステップＳＰ４−ステップＳＰ５の処理を行う。
【０１１０】
ところで上述したステップＳＰ４において肯定結果が得られると、このことは差分値Ｐ−Ｖが所定の閾値ｋよりも大きく、現音量レベルとプリセット音量レベルとの差分が非常に大きいことを表しており、このとき制御部２は、現音量レベルからプリセット音量レベルに変更すると音量レベルの変化があまりにも大きすぎてユーザを驚かせる可能性が高いと判断し、次のステップＳＰ２１へ移る。
【０１１１】
ステップＳＰ２１において制御部２は、プリセットボタン押下対応テーブルＴ３（図７）に従い、現音量値Ｖ（例えばＶ＝２０）とプリセット値Ｐ（例えばＰ＝７０）との中間値Ｍ（Ｍ＝Ｖ＋（Ｐ−Ｖ）／２＝４５）を算出し、音量値Ｖｏｌを現音量値Ｖから当該中間値Ｍに変更して、次のステップＳＰ６に移ってこのルーチンＲＴ３を終了する。
【０１１２】
（３−４）動作及び効果
以上の構成においてカーオーディオ装置１の制御部２は、ユーザによってプリセットボタン８Ｃが押下されると、差分値Ｐ−Ｖが所定の閾値ｋよりも大きいか否かを判定する。
【０１１３】
そして制御部２は、その判定結果及びプリセットボタン押下対応テーブルＴ３（図７）に応じて、ｋ≧Ｐ−Ｖとなる場合には、音量レベルを現音量レベルからプリセット音量レベルに変更し、ｋ＜Ｐ−Ｖとなる場合には、当該音量レベルを当該現音量レベルから中間レベルに変更する。
【０１１４】
従って制御部２は、差分値Ｐ−Ｖが所定の閾値ｋよりも小さい場合、現音量レベルとプリセット音量レベルとの差分が比較的小さくなるため、ユーザを驚かせる可能性は少ないと判断した上で音量レベルを当該現音量レベルから当該プリセット音量レベルに変更することにより、当該ユーザの希望を満たすことができる。
【０１１５】
一方制御部２は、差分値Ｐ−Ｖが所定の閾値ｋ以上となる場合、現音量レベルとプリセット音量レベルとの差が非常に大きくなるため、音量レベルを中間レベルに変更することにより、当該音量レベルを大きく変化させてユーザを驚かせることを未然に防止できる。
【０１１６】
このとき制御部２は、音量レベルを中間レベルに変更することによって、当該音量レベルを大きく変化させてユーザを驚かせることを防止しながら、同時に当該音量レベルを現音量レベルからプリセット音量レベルに近づけることができるので、当該音量レベルを当該ユーザの希望する音量レベルに近づけることができる。
【０１１７】
さらに制御部２は、音量レベルを中間レベルに変更した旨を表示部１０に表示することにより、現音量レベルとプリセット音量レベルとの差分が大きすぎるために、当該現音量レベルを当該プリセット音量レベルに変更すると、ユーザを驚かせてしまう可能性が高いことを間接的に認識させることができる。
【０１１８】
以上の構成によれば、カーオーディオ装置１の制御部２は、プリセットボタン８Ｃが押下された際に、差分値Ｐ−Ｖに応じて現音量レベルからプリセット音量レベルに変更するか又は中間レベルに変更するかを判断して音量レベルを制御するようにしたことにより、音量レベルの変化が大きすぎてユーザを驚かせてしまうことを未然に防止できると共に、当該ユーザの希望に近い音量レベルに変更することができるので、かくしてそのときどきのユーザが希望する音量レベルに近づけるように制御することができる。
【０１１９】
（４）他の実施の形態
なお上述の第１の実施の形態においては、プリセットボタン８Ｃが押下された際に、差分値Ｐ−Ｖに応じて、ｋ＜Ｐ−Ｖとなる場合には敢えて当該音量レベルを変更せず、ｋ≧Ｐ−Ｖとなる場合には音量レベルをプリセット音量レベルに変更するようにした場合について述べたが、本発明はこれに限らず、図９のプリセットボタン押下対応テーブルＴ４に示すように、ｋ≧Ｐ−Ｖとなる場合、プリセットボタン８Ｃが再度押下された際に、当該音量レベルを当該プリセット音量レベルから再度現音量レベルに戻すようにしても良い。
【０１２０】
これにより制御部２は、例えばユーザが音量レベルをプリセット音量レベルから現音量レベルに戻したい場合に、当該ユーザにプリセットボタン８Ｃを押下させた直後に、慌てて音量アップボタン８Ａ及び音量ダウンボタン８Ｂを探させた上で、当該音量アップボタン８Ａ及び音量ダウンボタン８Ｂを何度も操作させることによって現音量レベルに戻るまで手動で調整させるといった手間をかけさせる必要がなく、同じプリセットボタン８Ｃを再度押下させるといった簡易な操作によって、当該音量レベルを当該現音量レベルに戻すことができ、容易に当該ユーザの希望に合致させることができる。
【０１２１】
このとき制御部２は、図１０に示すプリセットボタン押下対応処理手順ＲＴ４従って処理を行うようになされている。
【０１２２】
すなわち制御部２は、ルーチンＲＴ４の開始ステップから入ってステップＳＰ１へ移る。ここで制御部２は、上述したプリセットボタン押下対応処理手順ＲＴ１（図４）と同様に、ステップＳＰ１−サブルーチンＳＲＴ１−ステップＳＰ６の処理、及びステップＳＰ１−ステップＳＰ２−ステップＳＰ３−ステップＳＰ４−ステップＳＰ５の処理を行う。
【０１２３】
そして制御部２は、ステップＳＰ５の処理を行った後、ステップＳＰ３１へ移る。ステップＳＰ３１において制御部２は、プリセットボタン８Ｃが再度押下されたか否かを判定する。ここで否定結果が得られると、このことはユーザによってプリセットボタン８Ｃが押下されなかったために、当該ユーザには現在の音量レベルを変更する意思はないことを表しており、このとき制御部２は、次のステップＳＰ６へ移ってこのルーチンＲＴ４を終了する。
【０１２４】
これに対してステップＳＰ３１において肯定結果が得られると、このことはユーザによってプリセットボタン８Ｃが再度押下されたために、当該ユーザがこのときの音量レベル、すなわちプリセット音量レベルに満足しておらず、１回目にプリセットボタンを押下する前の現音量レベルに戻したいと希望していることを表しており、このとき制御部２は次のステップＳＰ３２へ移る。
【０１２５】
ステップＳＰ３２において制御部２は、プリセット値Ｐに変更した音量値Ｖｏｌを、ステップＳＰ３において認識した現音量値Ｖに戻した後、次のステップＳＰ６に移ってこのルーチンＲＴ４を終了する。
【０１２６】
このように制御部２は、プリセットボタン８Ｃが押下されて音量レベルを変更した後に、当該プリセットボタン８Ｃが再度押下されることにより、「音量レベルをプリセット音量レベルに変更したものの、当該プリセット音量レベルが希望に合わないため、当該プリセット音量レベルに変更する前の現音量レベルに再度戻したい」という当該ユーザの希望を認識することができ、音量レベルをプリセット音量レベルから現音量レベルに戻すことにより、当該ユーザの希望する音量レベルに合致させることができる。
【０１２７】
このとき制御部２は、１回目と同じプリセットボタン８Ｃが再度押下されるだけで、音量アップボタン８Ａや音量ダウンボタン８Ｂを何度も操作するような手間をかけさせることなく、音量レベルをプリセット音量レベルから現音量レベルに容易に戻すことができるので、当該ユーザの操作の手間を大幅に簡略化することができる。
【０１２８】
特に制御部２は、ユーザが自動車を運転しているような場合、当該ユーザに１回目と同じプリセットボタン８Ｃを再度押下させればよいので、当該ユーザにボタンの位置を確認するために視線をカーオーディオ装置１に移させる必要がなく、自動車の運転に必要な箇所を見続けさせることができ、使い勝手を格段に向上させることができる。
【０１２９】
また、上述の第３の実施の形態においては、差分値Ｐ−Ｖが所定の閾値ｋよりも大きくなる場合に、音量レベルを中間レベルに変更するようにした場合について述べたが、本発明はこれに限らず、当該差分値Ｐ−Ｖが所定の閾値ｋよりも大きくなる場合に、プリセットボタン８Ｃが１回目に押下された際に当該音量レベルを当該中間レベルに変更し、プリセットボタン８Ｃが再度押下された際に当該音量レベルを当該中間レベルからプリセット音量レベルに変更するようにしても良い。
【０１３０】
このとき制御部２は、図１１に示すプリセットボタン押下対応処理手順ＲＴ５従って処理を行うようになされている。
【０１３１】
すなわち制御部２は、ルーチンＲＴ５の開始ステップから入ってステップＳＰ１へ移る。ここで制御部２は、上述したステップＳＰ１−サブルーチンＳＲＴ１−ステップＳＰ６の処理、及びステップＳＰ２−ステップＳＰ３−ステップＳＰ４−ステップＳＰ５の処理を行う。
【０１３２】
そしてステップＳＰ４において肯定結果が得られると、このことは差分値Ｐ−Ｖが所定の閾値ｋよりも大きく、現音量レベルとプリセット音量レベルとの差分が非常に大きいことを表しており、このとき制御部２は、当該現音量レベルから当該プリセット音量レベルに変更すると、音量レベルの変化があまりにも大きすぎてユーザを驚かせる可能性が高いと判断し、ステップＳＰ１１−ステップＳＰ１２の処理を行う。
【０１３３】
ステップＳＰ１２において肯定結果が得られると、このことはカウント値Ｃ、すなわちプリセットボタン８Ｃを押下された回数が１もしくは０であるため、このとき制御部２は、この段階では、音量レベルを中間レベルに変更してユーザを驚かせる可能性を低く抑えるべきであると判断し、ステップＳＰ２１に移って音量値Ｖｏｌを中間値Ｍに変更した後、再度ステップＳＰ１に戻る。
【０１３４】
これに対してステップＳＰ１２において否定結果が得られると、このことはカウント値Ｃ、すなわちプリセットボタン８Ｃが押下された回数が既に２以上であるために、このとき制御部２は、当該プリセットボタン８Ｃを２回押下したユーザの希望に応じて音量レベルをプリセット音量レベルに変更すべきであると判断し、次のステップＳＰ５に移って音量値Ｖｏｌをプリセット値Ｐに変更し、さらにステップＳＰ１３に移ってカウント値Ｃを０にリセットした後、再度ステップＳＰ１に戻る。
【０１３５】
このとき制御部２は、音量レベルを中間レベルからプリセット音量レベルに変更させるため、当該音量レベルの変化をあまり大きくせずに済み、ユーザを驚かせずに済む。
【０１３６】
このように制御部２は、プリセットボタン８Ｃのみを複数回押下するという容易な操作によって、当該プリセットボタン８Ｃが押下される回数に応じて、音量値Ｖｏｌを段階的に変化させることができるので、当該プリセットボタン８Ｃが押下される毎の音量レベルの変化が大きすぎてユーザを驚かせてしまう可能性を低く抑えながら、当該プリセットボタン８Ｃを押下する度に、音量レベルを当該ユーザの希望するプリセット音量レベルに徐々に近づけていくことができる。
【０１３７】
なお制御部２は、音量値Ｖｏｌがプリセット値Ｐに変更されるまでにプリセットボタン８Ｃが押下される回数を２回とする以外に、３回や４回等の他の回数としても良い。
【０１３８】
さらに上述の第３の実施の形態においては、プリセットボタン８Ｃが１回押下された際に、音量値Ｖｏｌを当該音量値Ｖｏｌとプリセット値Ｐとの中間値Ｍ（すなわちＭ＝Ｖ＋（Ｐ−Ｖ）／２）に変更するようにした場合について述べたが、本発明はこれに限らず、例えばＶ＋（Ｐ−Ｖ）×０．７等の、直前音量値とプリセット値と間の任意の値に音量値Ｖｏｌを変更するようにしても良い。
【０１３９】
さらに上述の第１〜第３実施の形態においては、プリセットボタン８Ｃが押下された際の処理を、現音量レベルとプリセット音量レベルとの差分の大きさや当該プリセットボタン８Ｃが押下された回数に応じて処理を切り換えるようにした場合について述べたが、本発明はこれに限らず、音量アップボタン８Ａ及び音量ダウンボタン８Ｂが押下される回数に応じて、その処理を切り換えるようにしても良い。
【０１４０】
例えば制御部２は、音量アップボタン８Ａが押下されると、その押下回数に比例したステップ数だけ音量値Ｖｏｌを相対的に増加させるようになされており、さらに音量レベルの微調整を行い得るように、音量アップボタン８Ａの１回の押下に対応した音量値Ｖｏｌの増加分を非常に小さくしている。
【０１４１】
一方、ユーザが音量レベルを変化させる際には、当該音量レベルをある程度大きく変化させる場合が多いため、ユーザの操作によって１回だけ音量アップボタン８Ａが押下される可能性は極めて低い。
【０１４２】
そこで制御部２は、図１２に示すように、音量アップボタン８Ａが１回押下された場合のみ、音量値Ｖｏｌを１ステップだけ増加させるのではなく、予め記憶部９の音量テーブルＴＶ（図２）に記憶させた大幅音量アップ値Ｕ（例えばＵ＝１０）を読み出して、当該大幅音量アップ値Ｕだけ音量値Ｖｏｌを増加させるようにした。
【０１４３】
これにより制御部２は、実行される頻度の低い「音量アップボタン８Ａが１回押下される」操作に対して、効果の小さい「音量値Ｖｏｌを１ステップだけ増加させる」機能に代えて、効果の大きい「音量値Ｖｏｌを１０ステップ分増加させる」機能を割り当てることができ、ユーザが音量レベルを調整する際の、当該ユーザの希望に合致する音量レベルに合わせるまでの操作回数を削減することができるので、使い勝手を一段と向上させることができる。
【０１４４】
なお制御部２は、音量アップボタン８Ａが１回押下された場合に、大幅音量アップ値Ｕだけ音量値Ｖｏｌを増加させる以外にも、例えば音量値Ｖｏｌをプリセット値Ｐに変更させるなど、他の機能を割り当てるようにしても良く、また音量アップボタン８Ａ以外にも、音量ダウンボタン８Ｂ等の他のボタンにこのような機能を割り当てても良く、さらに音量アップボタン８Ａと、音量ダウンボタン８Ｂとでそれぞれ異なる機能を割り当てても良く、これらの場合、使用頻度の高い機能を例えば音量アップボタン８Ａを１回押下するといった簡単な操作に割り当てることができるので、使い勝手を格段に向上させることができる。
【０１４５】
さらに上述の第１〜第３実施の形態においては、本発明をカーオーディオ装置１に適用するようにした場合について述べたが、本発明はこれに限らず、家庭用オーディオ機器、テレビジョン受像器、及びパーソナルコンピュータ等の音量調整を行う種々の電子機器に適用するようにしても良い。
【０１４６】
さらに上述の実施の形態においては、記憶手段としての記憶部９と、操作受付手段、認識手段、及び制御手段としての制御部２とによって音量レベル制御装置としてのカーオーディオ装置１を構成する場合について述べたが、本発明はこれに限らず、その他種々の回路構成でなる記憶手段と、操作受付手段と、認識手段と、制御手段とによって音量レベル制御装置を構成するようにしても良い。
【０１４７】
さらに上述の実施の形態においては、記憶手段としての記憶部９と、認識手段、変化量受付手段、及び音量増減手段としての制御部２とによって音量レベル制御装置としてのカーオーディオ装置１を構成する場合について述べたが、本発明はこれに限らず、その他種々の回路構成でなる記憶手段と、認識手段と、変化量受付手段と、音量増減手段とによって音量レベル制御装置を構成するようにしても良い。
【産業上の利用可能性】
【０１４８】
本発明は、カーオーディオ装置の他に、家庭用オーディオ装置や、携帯情報端末等の音量調整を行う種々の電子機器でも利用できる。
【図面の簡単な説明】
【０１４９】
【図１】本実施の形態によるカーオーディオ装置の構成を示すブロック図である。
【図２】音量テーブルを示す略線図である。
【図３】プリセットボタン押下対応テーブル（１）を示す略線図である。
【図４】プリセットボタン押下対応処理手順（１）を示すフローチャートである。
【図５】プリセットボタン押下対応テーブル（２）を示す略線図である。
【図６】プリセットボタン押下対応処理手順（２）を示すフローチャートである。
【図７】プリセットボタン押下対応テーブル（３）を示す略線図である。
【図８】プリセットボタン押下対応処理手順（３）を示すフローチャートである。
【図９】プリセットボタン押下対応テーブル（４）を示す略線図である。
【図１０】プリセットボタン押下対応処理手順（４）を示すフローチャートである。
【図１１】プリセットボタン押下対応処理手順（５）を示すフローチャートである。
【図１２】音量アップボタン押下対応テーブルを示す略線図である。
【符号の説明】
【０１５０】
１……カーオーディオ装置、２……制御部、５……音量調節部、８Ａ……音量アップボタン、８Ｂ……音量ダウンボタン、８Ｃ……プリセットボタン、９……記憶部。
【図１】
2005198112.tif 000003
【図２】
2005198112.tif 000004
【図３】
2005198112.tif 000005
【図４】
2005198112.tif 000006
【図５】
2005198112.tif 000007
【図６】
2005198112.tif 000008
【図７】
2005198112.tif 000009
【図８】
2005198112.tif 000010
【図９】
2005198112.tif 000011
【図１０】
2005198112.tif 000012
【図１１】
2005198112.tif 000013
【図１２】
2005198112.tif 000014